(57)【要約】      （修正有）【課題】アルファ米を直接手で触れることなく成形することができ、手で直接触れることなく成形されたアルファ米を食すことができる収容体を提供する。【解決手段】複数のフィルムによってアルファ米を密閉状態で収容する収容体１であって、複数のフィルムの一部が互いに溶着されることによって構成され、密閉空間を形成するための第１シール部６と、複数のフィルムの一部が互いに溶着されることによって構成されており、密閉空間内において、第１シール部の一部とともに、アルファ米を収容する収容空間を形成するための一対の第２シール部７と、を有し、一対の第２シール部は、収容空間を挟んで互いに離れた位置で配置されているとともに、収容空間の上部に向かって互いに近づくことを特徴とする。【選択図】図１
0003197867.tif 000002
【実用新案登録請求の範囲】
【請求項１】
複数のフィルムによってアルファ米を密閉状態で収容する収容体であって、
前記複数のフィルムの一部が互いに溶着されることによって構成され、密閉空間を形成するための第１シール部と、
前記複数のフィルムの一部が互いに溶着されることによって構成されており、前記密閉空間内において、前記第１シール部の一部とともに、前記アルファ米を収容する収容空間を形成するための一対の第２シール部と、を有し、
前記一対の第２シール部は、前記収容空間を挟んで互いに離れた位置で配置されているとともに、前記収容空間の上部に向かって互いに近づくことを特徴とする収容体。
【請求項２】
前記複数のフィルムは、
前記収容体の前面および背面を構成し、互いに溶着される第１フィルムおよび第２フィルムと、
前記収容体の底面を構成し、前記第１フィルムおよび第２フィルムのそれぞれに溶着される第３フィルムと、
を含むことを特徴とする請求項１に記載の収容体。
【請求項３】
前記第１フィルムおよび前記第２フィルムは、
前記収容空間の上部に相当する位置において、前記第１フィルムおよび前記第２フィルムの側縁に形成された一対の第１切込みを有することを特徴とする請求項２に記載の収容体。
【請求項４】
前記第１フィルムおよび前記第２フィルムは、
これらの側縁において、前記一対の第１切込みよりも下方であって、前記第３フィルムとの溶着部分よりも上方に形成される一対の第２切込みをさらに有することを特徴とする請求項３に記載の収容体。
【請求項５】
前記一対の第２シール部の上部から前記密閉空間の上部に向かって延び、前記密閉空間の上部に向かって互いに遠ざかる一対の第３シール部をさらに有することを特徴とする請求項１から４のうちいずれか一つに記載の収容体。
【請求項６】
前記第１フィルムおよび前記第２フィルムは、
前記一対の第３シール部よりも上方において、互いに係合して前記密閉空間を２つの空間に区画する封止部材をそれぞれ有することを特徴とする請求項５に記載の収容体。
【請求項７】
前記第１フィルムおよび前記第２フィルムは、
これらの側縁において、前記封止部材よりも上方に形成された空間に相当する位置に形成される一対の第３切込みをさらに有することを特徴とする請求項６に記載の収容体。
【請求項８】
前記一対の第２シール部は、
前記収容空間を挟んで対称に形成されることを特徴とする請求項１から７のうちいずれか一つに記載の収容体。
【請求項９】
前記一対の第２シール部は、ハの字状に形成されることを特徴とする請求項１から８のいずれか一つに記載の収容体。
【請求項１０】
複数のフィルムによってアルファ米を密閉状態で収容する収容体であって、
前記複数のフィルムの一部が互いに溶着されることによって構成されており、密閉空間を形成するとともに、前記密閉空間内において、前記アルファ米を収容する収容空間を形成するためのシール部を有し、
前記シール部の一部は、前記収容空間を挟んで互いに離れた位置で配置されているとともに、前記収容空間の上部に向かって互いに近づく一対のシール部であることを特徴とする収容体。
【考案の詳細な説明】
【技術分野】
【０００１】
本考案は、アルファ米が収容される収容体に関する。
【背景技術】
【０００２】
アルファ米は、炊き上がった米飯に乾燥処理などを行い、米飯に含まれる澱粉のアルファ化の状態を維持させた乾燥米飯であり、長期保存が可能である。また、アルファ米は、お湯（水）に浸して水分を吸水させるだけで、乾燥処理などがされる前の米飯の状態に復元できるため、生米などと比較して、食す際に煮炊きなどの手間がかからない。このような特性から、アルファ米は、登山などのアウトドア活動や海外旅行での携行食品、更に、地震災害等の非常時用の保存食品として注目されている。
【考案の概要】
【考案が解決しようとする課題】
【０００３】
上述の通り、アルファ米は、携行食品や非常時用の保存食品として利用される。そのため、アルファ米を食べる際の状況は、多岐にわたり、着座して食べることができない環境も想定される。例えば、山岳などの足場の悪い環境におけるアウトドア活動では、立ちながら食べる状況を想定することができる。また、災害時には、交通手段がなくなった帰宅困難者が歩きながら食べる状況を想定することもできる。このような着座できない状況では、箸やスプーンを使ってアルファ米を食すことは不便であり、アルファ米をおにぎりのように成形して食べたいという要望がある。
【０００４】
ここで、アルファ米をおにぎりのように成形するために、米飯の状態に復元したアルファ米を手で握ることが考えられる。しかしながら、アウトドア活動時や災害時には、手を清潔な状態に保つことは困難であり、手でアルファ米を握った場合、手の雑菌がアルファ米に付着してしまうことがある。また、手を使わずにアルファ米を成形するために、おにぎりの形状をした型（容器）の中でアルファ米に吸水させ、おにぎりの形状に成形することも考えられる。しかしながら、このようにして成形されるアルファ米は、型から手を使って取り出されることに加え、取り出されたアルファ米は、手に持って食べられる。つまり、型の中でアルファ米を成形した場合であっても、食されるまでに、手の雑菌がアルファ米に付着してしまうことがある。雑菌が付着したアルファ米を食した場合、感染症などを引き起こし、二次災害を引き起こす危険性もある。さらに、米飯の状態に復元されたアルファ米は、炊き上がりの米飯のように粘着性があるため、アルファ米を手で持った場合には、手の雑菌が付着するだけではなく、手にアルファ米が付着し、手を汚してしまうということもある。
【０００５】
本考案は、このような事情に鑑みてなされたものであり、アルファ米を直接手で触れることなく成形することができ、手で直接触れることなく成形されたアルファ米を食すことができる収容体を提供することを目的とする。
【課題を解決するための手段】
【０００６】
本願第１の考案である収容体は、複数のフィルムによってアルファ米を密閉状態で収容する収容体である。収容体は、複数のフィルムの一部が互いに溶着されることによって構成され、密閉空間を形成するための第１シール部を有する。また、収容体は、複数のフィルムの一部が互いに溶着されることによって構成されており、密閉空間内において、第１シール部の一部とともに、アルファ米を収容する収容空間を形成するための一対の第２シール部を有する。一対の第２シール部は、収容空間を挟んで互いに離れた位置で配置されているとともに、収容空間の上部に向かって互いに近づく。
【０００７】
本考案の収容体によれば、第１シール部が構成されることにより、複数のフィルムによって囲まれる密閉空間が形成される。また、一対の第２シール部が構成されることで、密閉空間内において、アルファ米を密閉状態で収容する収容空間が形成される。そして、一対の第２シール部が、収容空間を互いに離れた位置で配置されているとともに、収容空間の上部に向かって互いに近づくことにより、アルファ米が収容される収容空間がおにぎりと認識できるような形に規定される。そして、アルファ米は、収容空間に沿って成形される。成形されたアルファ米を食す者は、フィルムを切断して、収容体から露出させたアルファ米を、複数のフィルムを介して手に持ち、アルファ米を食すことができる。このように、本考案によれば、アルファ米を直接手で触れることなく成形することができ、手で直接触れることなく成形されたアルファ米を食すことができる。
【０００８】
複数のフィルムは、第１フィルムと第２フィルムと第３フィルムとを含む。第１フィルムおよび第２フィルムは、収容体の前面および背面を構成し、互いに溶着される。第３フィルムは、収容体の底面を構成し、第１フィルムおよび第２フィルムのそれぞれに溶着される。底面を構成する第３フィルムが設けられることで、アルファ米の成形物に底面を形成することができ、成形されるアルファ米を、おにぎりに近い形状に成形することができる。また、アルファ米を食すときに、第３フィルムを平面に沿って配置することにより、収容体によってアルファ米を保持しながら、収容体を載置することができる。
【０００９】
第１フィルムおよび第２フィルムの側縁には、収容空間の上部に相当する位置において、一対の第１切込みを形成することができる。第１切込みから第１フィルムおよび第２フィルムを切断することにより、成形されたアルファ米を収容空間の上部から露出させることができ、アルファ米を食しやすくなる。
【００１０】
第１フィルムおよび第２フィルムの側縁には、一対の第１切込みよりも下方であって、第３フィルムとの溶着部分よりも上方に、一対の第２切込みを形成することができる。これにより、第２切込みから第２シール部に沿って第１フィルム及び第２フィルムを切断することができ、成形されたアルファ米の側部を簡単に露出させることができる。
【００１１】
収容体には、一対の第３シール部を設けることができる。一対の第３シール部は、一対の第２シール部の上端から密閉空間の上部に向かって延び、密閉空間の上部に向かって互いに遠ざかる。アルファ米が収容される収容空間に水を注ぐときに、第３シール部に沿って水を移動させて、収容空間に水を導きやすくなる。
【００１２】
第１フィルムおよび第２フィルムには、一対の第３シール部よりも上方において、互いに係合して密閉空間を２つの空間に区画する封止部材をそれぞれ設けることができる。収容空間に水を注いだ後、第１フィルムおよび第２フィルムにおける封止部材を係合することにより、収容体から水（湯）がこぼれることを防止できる。
【００１３】
第１フィルムおよび第２フィルム側縁には、封止部材よりも上方に形成された空間に相当する位置において、一対の第３切込みを形成することができる。第３切込みから第１フィルムおよび第２フィルムを切断することにより、密閉空間を容易に開放することができる。
【００１４】
一対の第２シール部は、収容空間を挟んで対称に形成することができる。これにより、成形されるアルファ米を、おにぎりに近い形状に成形することができる。
【００１５】
一対の第２シール部は、ハの字状に形成されることができる。これにより、成形されるアルファ米を、おにぎりに近い形状に成形することができる。
【００１６】
本願第２の考案である収容体は、複数のフィルムによってアルファ米を密閉状態で収容する収容体である。収容体は、複数のフィルムの一部が互いに溶着されることによって構成されており、密閉空間を形成するとともに、密閉空間内において、アルファ米を収容する収容空間を形成するためのシール部を有する。シール部の一部は、収容空間を挟んで互いに離れた位置で配置されているとともに、収容空間の上部に向かって互いに近づく一対のシール部である。
【００１７】
本願第２の考案である収容体によれば、シール部が構成されることにより、複数のフィルムによって囲まれる密閉空間が形成されるとともに、アルファ米を密閉状態で収容する収容空間が形成される。ここで、シール部の一部が、収容区間を挟んで互いに離れた位置で配置されているとともに、収容空間の上部に向かって互いに近づくことにより、アルファ米が収容される収容空間がおにぎりと認識できるような形に規定される。アルファ米は、収容空間に沿って成形される。そして、成形されたアルファ米を食す者は、フィルムを切断して収容体から露出させたアルファ米を、複数のフィルムを介して手に持ち、アルファ米を食すことができる。つまり、アルファ米を直接手で触れることなく成形することができ、手で直接触れることなく成形されたアルファ米を食すことができる。
【図面の簡単な説明】
【００１８】
【図１】実施例１に係る収容体の斜視図である。
【図２】実施例１に係る収容体の正面図である。
【図３】実施例１に係る収容体の側面図である。
【図４】実施例１に係る収容体の底面図である。
【図５】実施例１に係る第３フィルムを開いた状態の収容体の側面図である。
【図６】実施例１に係る第１フィルム及び第２フィルムに表示部材が設けられた状態を示す収容体の斜視図である。
【図７】成形されたアルファ米の上部および側部を収容体から露出した状態を示す斜視図である。
【図８】実施例１に係る収容体の変形例の斜視図である。
【図９】実施例１に係る収容体の変形例の斜視図である。
【図１０】実施例２に係る収容体の斜視図である。
【図１１】実施例２に係る収容体の変形例の斜視図である。
【考案を実施するための形態】
【００１９】
以下、本考案の実施例について説明する。
【００２０】
（実施例１）
本考案の実施例１について図１乃至図７を参照して説明する。なお、各図において、収容体１の前後方向をＸ方向、幅方向をＹ方向、Ｘ方向及びＹ方向に鉛直な方向（上下方向）をＺ方向とする。
【００２１】
図１は、実施例１に係る収容体１の斜視図である。図１に示すように、収容体１は、アルファ米５を密閉状態で収容する収容体１である。収容体１は、第１フィルム２と、第２フィルム３と、第３フィルム４とにより構成される。第１フィルム２と第２フィルム３とは、互いに重ね合され、収容体１の前面および背面を構成する。また、第３フィルム４は、第１フィルム２及び第２フィルム３のそれぞれの下部と重ねあわされ、収容体１の底面を構成する。
【００２２】
各フィルム２〜４は、収容体１に密閉空間Ｓを形成できるものであればよく、その形状やサイズについて特に限定されないが、例えば、各フィルム２〜４の四隅の角を丸くした長方形の形状とすることができる。各フィルム２〜４の素材についても特に限定されないが、ポリエチレン、ポリエステル、アルミなどを用いることができる。複数のフィルムを積層したものを各フィルム２〜４として用いることもできる。各フィルム２〜４として、アルミで形成されたフィルムを用いた場合、収容空間Ｔに収容されるアルファ米５の賞味期限を延ばすことができる。
【００２３】
第１フィルム２の一部は、第２フィルム３の一部に溶着される。また、第３フィルム４の一部は、第１フィルム２および第２フィルム３の一部にそれぞれ溶着される。なお、溶着手段は、特に限定されないが、例えば、熱でフィルムを溶融し、フィルム同士を接合する熱溶着を使用することができる。
【００２４】
そして、フィルム２〜４の溶着によって、第１シール部６が構成される。第１シール部６は、第１フィルム２と第２フィルム３とが溶着される部位に形成されるシール部６ａと、第３フィルム４と第１フィルム２とが溶着される部位に形成されるシール部６ｂと、第３フィルム４と第２フィルム３とが溶着される部位に形成されるシール部６ｃとにより構成される。
【００２５】
シール部６ａは、第３フィルム４と溶着される部分を除き、第１フィルム２の周縁と第２フィルム３の周縁とが帯状に溶着されて構成される。また、シール部６ｂは、第１フィルム２の下部の周縁と第３フィルム４の一部の周縁とが帯状に溶着されて構成される。また、シール部６ｃは、第２フィルム３の下部の周縁と第３フィルム４の残りの周縁とが帯状に溶着されて構成される。シール部６ａ、シール部６ｂ及びシール部６ｃは、互いに連結し一体となっている。第１シール部６が構成されることにより、第１フィルム２と第２フィルム３と第３フィルム４とが互いに隙間なく溶着され、第１フィルム２と第２フィルム３と第３フィルム４によって囲まれる空間に密閉空間Ｓが形成される。
【００２６】
また、収容体１には、第１シール部６の他に、第１フィルム２及び第２フィルム３の一部が互いに溶着されて構成される一対の第２シール部７が設けられる。一対の第２シール部７は、図２に示すように、第１フィルム２の一部と第２フィルム３の一部が溶着されることにより構成される帯状のシール部であり、密閉空間Ｓ中において、第１シール部６（シール部６ｂ、６ｃ）とともに、収容空間Ｔの形状を規定する。また、一対の第２シール部７は、Ｙ方向で互いに離れた位置でＹ方向に並んで配置されているとともに、収容体１の上部に向かって互いに近づくように構成される。言い換えれば、一対の第２シール部７は、Ｚ−Ｙ平面において、ハの字形状に構成される。一対の第２シール部７の下部は、Ｚ方向に延びる一対のシール部６ａにそれぞれ連結されている。なお、一対の第２シール部７は、収容空間Ｔを挟んで対称に設けられることが好ましい。
【００２７】
また、収容体１には、第１シール部６及び第２シール部７の他に、一対の第３シール部２０が設けられている。一対の第３シール部２０は、Ｙ方向で互いに離れた位置でＹ方向に並んで配置されているとともに、一対の第２シール部７の上部から収容体１の上方に延び、収容体１の上方に向かってＹ方向で互いに離れる帯状のシール部である。また、一対の第３シール部２０の上部は、図２に示すように、Ｚ方向に延びる一対のシール部６ａに連結されている。
【００２８】
収容体１には、一対の密閉空間Ｓ３が設けられている。密閉空間Ｓ３は、Ｚ方向に延びるシール部６ａと、当該シール部６ａに連結する第２シール部７と、当該シール部６ａ及び第２シール部７に連結する第３シール部２０とによって囲まれた密閉空間である。
【００２９】
収容体１の収容空間Ｔには、アルファ米５が収容される。収容空間Ｔは、密閉空間Ｓ中に設けられる空間であり、第１フィルム２及び第２フィルム３及び第３フィルム４によって囲まれる空間である。収容空間Ｔは、密閉空間Ｓの一部であり、アルファ米５を密閉した状態で収容する。なお、アルファ米５は、乾燥した食材と共に収容空間Ｔに収容されていてもよい。また、アルファ米５は、砂糖、醤油、みりん、酒などの調味料を加えて炊き上げた米飯を乾燥処理したものであってもよい。
【００３０】
第１フィルム２は、第１フィルム２の内面において、第１封止部材８ａを有していてもよい。また、第２フィルム３は、第２フィルム３の内面において、図３に示すように、第１封止部材８ａに係合し、密閉空間Ｓを密閉空間Ｓ１と密閉空間Ｓ２に区画する第２封止部材８ｂを有する。第１封止部材８ａ及び第２封止部材８ｂは、一対の第３シール部２０よりも上方に形成され、密閉空間Ｓを横切り、Ｚ方向に延びる一対のシール部６ａのうち、一方のシール部６ａから他方のシール部６ａまで形成されている。
【００３１】
また、Ｚ方向に延びる一対のシール部６ａにおいて、第１フィルム２および第２フィルム３の両側端部には、一対の第１切込み１０ａ、一対の第２切込み１０ｂ、一対の第３切込み１０ｃがそれぞれ形成されている。一対の第１切込み１０ａは、収容空間Ｔの上部に相当する位置、すなわち第２シール部７及び第３シール部２０の接続位置に相当する位置に形成される。一対の第２切込み１０ｂは、一対の第１切込み１０ａよりも下方であって、第１フィルム２と第２フィルム３と第３フィルム４とが接合する接合部Ｐよりも上方に形成される。一対の第３切込み１０ｃは、Ｙ方向において、密閉空間Ｓ１を挟む位置であって、第１封止部材８ａ及び第２封止部材８ｂよりも上方に形成される。
【００３２】
なお、第１切込み１０ａ、第２切込み１０ｂおよび第３切込み１０ｃのうち、少なくとも１つの切込みを省略することもできる。この場合には、省略する切込みに代えて、ハサミ等によって第１フィルム２および第２フィルム３を切断するための目印を設けることができる。目印の表示の仕方は、適宜決めることができる。
【００３３】
また、第１フィルム２の外面には、目印１１を設けることができる。この目印１１は、アルファ米を米飯の状態に復元するために必要な水（湯）の量を規定するものである。目印１１の位置は、アルファ米５が収容される収容空間Ｔの容積に基づき、決めることができる。なお、目印１１は、第１フィルム２の内面、つまり密閉空間Ｓ（収容空間Ｔ）を形成する第１フィルム２の内面に設けることもできる。また、目印１１は、第２フィルム３の外面又は内面に設けられてもよい。
【００３４】
本実施例の収容体１では、図３に示すように、第１フィルム２と第２フィルム３と第３フィルム４とが接合する接合部Ｐが第１フィルム２および第２フィルム３のＹ方向の両側端部に表れる。そして、接合部Ｐよりも下方では、図３や図４に示すように、第３フィルム４と第１フィルム２が溶着されるとともに、第３フィルム４と第２フィルム３が溶着される。
【００３５】
第１フィルム２および第２フィルム３の下部に第３フィルム４を溶着することにより、図５に示すように、接合部Ｐを基準に第１フィルム２および第２フィルム３を折り曲げ、第３フィルム４をＸ−Ｙ平面に沿って配置することができる。これにより、第３フィルム４の全面を利用して収容体１を机などの載置面に置くことができる。
【００３６】
また、第１フィルム２の外面には、図６に示すように、表示部材１２を設けることができる。表示部材１２には、例えば、アルファ米５の食べ方、アルファ米５の成分、製造販売元、アルファ米５の賞味期限などの所定情報を表示することができる。また、表示部材１２には、収容空間Ｔを収容体１の外部から視認でき、目印１１を収容体１の外部に露出させる窓１２ａを設けることができる。窓１２ａは、表示部材１２に形成された開口部によって構成されていてもよいし、透明の部材によって構成されていてもよい。
【００３７】
表示部材１２を設けなくても、例えば、第１フィルム２の外面及び第２フィルム３の外面に直接印刷を行い、第１フィルム２の外面及び第２フィルム３の外面に所定情報を表示してもよい。第１フィルム２の外面及び第２フィルム３の外面に直接表示を行う場合、第１フィルム２及び第２フィルム３を、例えば、透明の部材で構成し、収容空間Ｔの内部を収容体１の外部から確認できる部分を設けることができる。
【００３８】
次に、アルファ米５が収容された収容体１の使用方法について説明する。まず、一方の第３切込み１０ｃから他方の第３切込み１０ｃに向かって第１フィルム２及び第２フィルム３を切断する。密閉空間Ｓを、収容体１の外部に開放された空間とすることができる。
【００３９】
次に、第１フィルム２および第２フィルム３の間隔を広げて、第１封止部材８ａ及び第２封止部材８ａの係合を外し、アルファ米５が収められる収容空間Ｔに水（湯）を注ぐ。このとき、窓１２ａから収容空間Ｔに注がれた水位を確認し、目印１１まで水（湯）を注ぐ。ここで、一対の第３シール部２０は、下方に向かって互いに近づくように構成されている。そのため、水（湯）が収容空間Ｔに直接入らなかったとしても、注がれた水は、第３シール部２０に沿って移動し収容空間Ｔに導かれる。つまり、収容体１に第３シール部２０を設けることにより、アルファ米５が収容された収容空間Ｔに水を容易に入れることができる。なお、収容体１の収容空間Ｔにアルファ米５を収容するときにも、第３シール部２０を用いることにより、アルファ米５を収容空間Ｔに導くことができる。
【００４０】
また、収容空間Ｔに目印１１を超えて水（湯）を注いでしまった場合、収容体１の上部を下方に向けることで、第１フィルム２及び第２フィルム３の切断部分から水を排出することができる。この場合、水と共にアルファ米５も排出されてしまう恐れがあるが、収容体１には、一対の第２シール部７が設けられているため、収容空間Ｔの上部において、第１フィルム２と第２フィルム３とを指で挟むだけで、水のみを排出することができる。
【００４１】
次に、第１封止部材８ａと第２封止部材８ａとを再び係合させ、密閉空間Ｓ２を封止する。次に、収容体１を振り、アルファ米５と水（湯）とを混合し、水が混合されたアルファ米５を放置する。第１封止部材８ａ及び第２封止部材８ａによって密閉空間Ｓ２が封止されていることで、収容体１から水（湯）がこぼれることを防止することができる。水が混合されたアルファ米５を放置する時間は、例えば、６０分とすることができる。湯が混合されたアルファ米５を放置する時間は、例えば、１５分とすることができる。
【００４２】
ここで、アルファ米５は、水（湯）と混合され、水（湯）を吸収することにより、収容空間Ｔ内で膨張する。収容空間Ｔは、一対の第２シール部７及び第１シール部６（シール部６ｂ、６ｃ）によってその形状が規定されているため、収容空間Ｔ内において、アルファ米５同士が密着し、水（湯）を吸収したアルファ米５が全体として収容空間Ｔに沿った形状に成形される。
【００４３】
一対の第２シール部７が、収容空間Ｔを挟んで対称に形成されているため、収容空間Ｔ内で成形されるアルファ米５をよりおにぎりに近い形状に成形することができる。
【００４４】
次に、一方の第１切り込み１０ａから他方の第１切込み１０ａに向かって第１フィルム２及び第２フィルム３を切断する。これにより、収容空間Ｔ上部において、成形されたアルファ米５が露出する。第１切込み１０ａを形成しておくことにより、第１フィルム２及び第２フィルム３のうち、収容空間Ｔよりも上方に位置する部分を容易に取り除くことができ、収容空間Ｔの上部において、成形されたアルファ米５を容易に露出させることができる。
【００４５】
さらに、各第２切込み１０ｂから収容空間Ｔに沿って、第１フィルム２及び第２フィルム３を切断する。これにより、図７に示すように、成形されたアルファ米５のＹ方向側部が露出する。第２切込み１０ｂを形成しておくことにより、第１フィルム２及び第２フィルム３を一対の第２シール部７に沿って容易に切断することができる。これにより、成形されたアルファ米５のＹ方向側部を容易に露出させることができる。
【００４６】
ここで、成形されたアルファ米５の前面は、第１フィルム２によって覆われる。また、成形されたアルファ米５の背面は、第２フィルム３によって覆われる。上述したように、第２切込み１０ｂは、接合部Ｐよりも上方に形成されているため、第２切込み１０ｂおよび接合部Ｐの間では、第１フィルム２及び第２フィルム３が溶着されたままである。このように、第１フィルム２及び第２フィルム３が溶着した部分を残すことにより、第１フィルム２及び第２フィルム３を一対の第２シール部７に沿って切断した後、第１フィルム２及び第２フィルム３を、成形されたアルファ米５の前面及び背面に沿った形状に維持しやすくなる。
【００４７】
さらに、成形されたアルファ米５の底面は、第３フィルム４によって覆われる。これにより、成形されたアルファ米５を食す者は、フィルム２〜４を介して成形されたアルファ米５を持つことができ、手で直接アルファ米５に触れることなくアルファ米５を食すことができる。そして、成形されたアルファ米５を食す者は、アルファ米５のＸ方向前面を覆う第１フィルム２とアルファ米５の背面を覆う第２フィルム３とをはがしながら食すことにより、最後まで手で直接アルファ米５に触れることなくアルファ米５を食すことができる。
【００４８】
また、食事の際中に、アルファ米５を一時的におくことが想定される。本実施例の収容体１は、底面を構成する第３フィルム４を有しているため、成形されたアルファ米５を収容体１から露出させ、アルファ米５を食べている状況であっても、図７に示すように、第３フィルム４をＸ−Ｙ平面に沿って配置することにより、第３フィルム４を介してアルファ米５を地面等に載置することができる。そのため、成形されるアルファ米５は、直接地面に載置されることがなく、雑菌やごみなどが付着しにくい。
【００４９】
また、第３フィルム４をＸ−Ｙ平面に沿って配置した時、Ｘ−Ｙ平面内において、シール部６ｂ、６ｃが収容空間Ｔから突出することになる。シール部６ｂ、６ｃが地面等と接触し、第１フィルム２および第２フィルム３がアルファ米５を支えることにより、アルファ米５を地面に安定して載置することができる。すなわち、アルファ米５は、Ｘ方向及び／又はＹ方向の力が加えられた場合であっても、倒れにくくなる。
【００５０】
なお、成形されたアルファ米５を露出させる方法は、上述の第１切込み１０ａ、第２切込み１０ｂ及び第３切込み１０ｃを用いる方法に限られない。例えば、アルファ米が成形された後、第１フィルム２と第２フィルム３とをＸ方向に引き離し、第１フィルム２と第２フィルム３とが溶着されたシール部（第１シール部６、第２シール部７及び第３シール部２０）をはがし、第１フィルム２と第２フィルム３の間から成形されたアルファ米５を露出させることもできる。この場合、成形されたアルファ米５を食す者は、収容体１の下部を保持して、成形されたアルファ米を食すことができる。
【００５１】
また、密閉空間Ｓ３が形成されている場合には、密閉空間Ｓ３を開口させ、当該開口に指を入れ、第１フィルム２と第２フィルム３とをＸ方向に引き離すこともできる。密閉空間Ｓ３は、アルファ米５の収容空間Ｔと連通していないため、指を入れたとしても、指が成形されたアルファ米５に接触する恐れがない。そのため、密閉空間Ｓ３が設けられている収容体１は、密閉空間Ｓ３が設けられていない収容体１と比較して、成形されたアルファ米５をより清潔に露出させることができる。
【００５２】
本考案の収容体１によれば、第１シール部６が構成されることにより、フィルム２〜４に囲まれる密閉空間Ｓが形成される。また、一対の第２シール部７が構成されることで、密閉空間Ｓ内において、アルファ米５を密閉状態で収容する収容空間Ｔが形成される。そして、一対の第２シール部７が、Ｙ方向で互いに離れた位置でＹ方向に並んで配置されているとともに、収容体１の上部に向かって互いに近づくことにより、アルファ米５が収容される収容空間Ｔがおにぎりと認識できるような形に規定される。水（湯）を吸収したアルファ米５は、収容空間Ｔに沿って成形される。そして、成形されたアルファ米５を食す者は、収容体１から露出させたアルファ米５を、フィルム２〜４を介して手に持ち、アルファ米５を食すことができる。つまり、アルファ米５を直接手で触れることなく成形することができ、手で直接触れることなく成形されたアルファ米５を食すことができる。
【００５３】
本実施例の収容体１によれば、アルファ米５を直接手で触れることなく成形することができ、手で直接触れることなく成形されたアルファ米５を食すことができるため、上述の通り、アウトドアや災害時などの手を清潔な状態に保つことが困難な環境において有用である。また、この様な環境の他に、水（湯）を入れるという簡単な操作でアルファ米５を成形することができるため、おにぎりの作り方を知らない外国旅行客や、手先の自由がききにくい年配の方などにとっても有用である。
【００５４】
（変形例１）
図８は、実施例１の収容体１の変形例を示す斜視図である。この変形例では、図８に示すように、収容体１は、第１フィルム２と第２フィルム３の二枚のフィルムにより構成される。第１シール部６は、第１フィルム２の一部と第２フィルム３の一部が溶着されることにより構成される。また、密閉空間Ｓは、第１シール部６によりその形状が規定され、第１フィルム２及び第２フィルム３によって囲まれて形成される。
【００５５】
ここで、アルファ米５が収容される収容空間Ｔは、収容体１の下部に向けてＸ方向の幅が狭まる形状である。そのため、収容空間Ｔによって成形されるアルファ米５は、平坦な底面を持たないが、直接手で触れることなくアルファ米５を成形することができる。また、上述の通り、切り込み１０ａ、１０ｂ、１０ｃから第１フィルム２及び第２フィルム３を切断することなどにより、手で直接触れることなく成形されたアルファ米５を食すことができる。
【００５６】
（変形例２）
図９は、実施例１の収容体１の別の変形例を示す斜視図である。この変形例では、シール部６は、第１フィルム２、第２フィルム３及び第３フィルム４の周縁よりも内側において、これらの周縁に沿った帯状に形成される。このような場合であっても、アルファ米５を直接手で触れることなく成形することができ、手で直接触れることなく成形されたアルファ米５を食すことができる。
【００５７】
（実施例２）
次に、収容体１の実施例２について、図１０を参照しながら説明する。図１０は、実施例２に係る収容体１の斜視図である。なお、本実施例において、実施例１で説明した構成要素と同じ構成要素については、同一の符号を用い、詳細な説明は省略する。以下、実施例１と異なる点について、主に説明する。
【００５８】
実施例１の収容体１は、密閉空間Ｓを形成するための第１シール部６と、密閉空間Ｓ内において、第１シール部６の一部とともに、アルファ米５を収容する収容空間Ｔを形成するための一対の第２シール部７とを有する。一方、本実施例の収容体１は、密閉空間Ｓを形成するとともに、密閉空間Ｓ内において、アルファ米５を収容する収容空間Ｔを形成するためのシール部６０を有する。つまり、本実施例のシール部６０は、実施例１の第１シール部６及び第２シール部７の機能を備える。
【００５９】
シール部６０は、図１０に示すように、第１フィルム２と第２フィルム３とが溶着されるシール部６０ａと、第３フィルム４と第１フィルム２とが溶着されるシール部６０ｂと、第３フィルム４と第２フィルム３とが溶着されるシール部６０ｃとが互いに接続された帯状のシール部である。このシール部６０により、第１フィルム２と第２フィルム３と第３フィルム４が隙間なく連結され、これらのフィルムに囲まれる密閉空間Ｓが形成される。
【００６０】
また、シール部６０ａは、Ｙ方向で互いに離れた位置でＹ方向に並んで配置されているとともに、収容体１の上部に向かって互いに近づく一対のシール部６０１を含む。一対のシール部６０１の間には、アルファ米５を収容するための収容空間Ｔが設けられる。そして、一対のシール部６０１は、収容空間Ｔを挟んで対称に構成される。
【００６１】
また、シール部６０ａは、一対のシール部６０２を含む。一対のシール部６０２は、図１０に示すように、Ｙ方向で互いに離れた位置でＹ方向に並んで配置されているとともに、収容体１の上部に向かって互いに遠ざかる。この一対のシール部６０２は、一対のシール部６０１から収容体１の上部に向かって延びている。
【００６２】
また、本実施例の変形例である収容体１では、図１１に示すように、第１フィルム２及び第２フィルム３に、一対の非溶着部Ｕを設けることができる。非溶着部Ｕは、シール部６０１、６０２に対して第１フィルム２及び第２フィルム３の側端側に形成されている。非溶着部Ｕでは、第１フィルム２と第２フィルム３との間に指を入れることができるため、第１フィルム２と第２フィルム３とを容易にＸ方向で引き離すことができる。つまり、一対の非溶着部Ｕが設けられている場合、シール部６０をはがし、第１フィルム２と第２フィルム３の間から成形されたアルファ米５を容易に露出させることができる。
【符号の説明】
【００６３】
１            収容体
２            第１フィルム
３            第２フィルム
４            第３フィルム
５            アルファ米
６            第１シール部
７            第２シール部
８ａ          第１封止部材
８ｂ          第２封止部材
１０ａ        第１切込み
１０ｂ        第２切込み
１０ｃ        第３切込み
１１          目印
２０          第３シール部
６０          シール部
６０１        一対のシール部
６０２        一対のシール部
Ｓ            密閉空間
Ｔ            収容空間
Ｐ            接合部
Ｕ            非溶着部
【図１】
0003197867.tif 000003
【図２】
0003197867.tif 000004
【図３】
0003197867.tif 000005
【図４】
0003197867.tif 000006
【図５】
0003197867.tif 000007
【図６】
0003197867.tif 000008
【図７】
0003197867.tif 000009
【図８】
0003197867.tif 000010
【図９】
0003197867.tif 000011
【図１０】
0003197867.tif 000012
【図１１】
0003197867.tif 000013